(57)【要約】【課題】  この発明は、利用者の利便性を損なうことなく、不正利用に対する対策の取られた携帯電話による駅務無線システムを構築できる。【解決手段】  この発明は、携帯電話機能と無線機能モジュールによる駅務無線機能とを有する携帯端末において、セキュリティを確保した状態で、かつ独立して機能を利用できる状態で、駅務無線機能モジュールを容易に無線機能モジュールとして引き続き使用できるようにしたものである。【選択図】      図１
2005284738.tif 000002
【特許請求の範囲】
【請求項１】
電話機能を有する携帯電話と、この携帯電話に取付けられ、駅務機器と無線により接続される駅務機器処理モジュールとを有し、
上記携帯電話と上記駅務機器処理モジュールとにそれぞれＩＤが付与されるとともに、上記携帯電話に上記駅務機器処理モジュールのＩＤが登録され、上記駅務機器処理モジュールに上記携帯電話のＩＤが登録されている携帯端末において、
上記携帯電話に上記駅務機器処理モジュールを取付ける際に、ＩＤによる相互認証を行う認証手段と、
この認証手段により、相互認証がなされた際に、上記駅務機器処理モジュールを有効とする手段と、
を具備したことを特徴とする携帯端末。
【請求項２】
電話機能を有する携帯電話と、この携帯電話に取付けられ、駅務機器と無線により接続される駅務機器処理モジュールとを有し、
上記携帯電話と上記駅務機器処理モジュールとにそれぞれＩＤが付与されるとともに、上記携帯電話に上記駅務機器処理モジュールのＩＤが登録され、上記駅務機器処理モジュールに上記携帯電話のＩＤが登録されている携帯端末において、
上記携帯電話に上記駅務機器処理モジュールを取付ける際に、ＩＤによる相互認証を行う認証手段と、
この認証手段により、相互認証がなされなかった際に、上記駅務機器処理モジュールのメモリエリアを消去し利用不能とする手段と、
を具備したことを特徴とする携帯端末。
【請求項３】
電話機能を有する携帯電話と、この携帯電話に取付けられ、駅務機器と無線により接続される駅務機器処理モジュールとを有し、上記携帯電話と上記駅務機器処理モジュールとにそれぞれＩＤが付与されている携帯端末と、
この携帯端末の駅務機器処理モジュールとの無線通信により上記携帯端末とによる駅務処理を実行する駅務機器と、
この駅務機器と通信回線を介して接続され、上記携帯端末における上記携帯電話と上記駅務機器処理モジュールとにそれぞれ付与されているＩＤが登録されている管理装置とを有する駅務システムにおいて、
上記携帯端末から駅務機器に対して上記携帯電話番号と上記携帯電話のＩＤと上記駅務機器処理モジュールのＩＤを送信する第１の送信手段と、
この第１の送信手段の送信により、上記駅務機器から管理装置に対して上記携帯電話番号を送信する第２の送信手段と、
この第２の送信手段の送信により、上記管理装置が、上記駅務機器により送信される携帯電話番号に対応して登録されている上記携帯電話のＩＤと上記駅務機器処理モジュールのＩＤとを読出し、上記駅務機器に返送する第３の送信手段と、
この第３の送信手段の送信により、上記駅務機器が、上記携帯端末からの上記携帯電話のＩＤと上記駅務機器処理モジュールのＩＤと上記管理装置からの上記携帯電話のＩＤと上記駅務機器処理モジュールのＩＤとが一致するか否かを判断し、一致を判断した際に、上記携帯端末による駅務処理を実行し、一致を判断しなかった際に、上記携帯端末による駅務処理を禁止する処理手段と、
を有することを特徴とする駅務システム。
【請求項４】
電話機能を有する携帯電話と、この携帯電話に取付けられ、駅務機器と無線により接続される駅務機器処理モジュールとを有し、上記携帯電話と上記駅務機器処理モジュールとにそれぞれＩＤが付与されている携帯端末と、
この携帯端末の駅務機器処理モジュールとの無線通信により上記携帯端末とによる駅務処理を実行する駅務機器と、
この駅務機器と通信回線を介して接続され、上記携帯端末における上記携帯電話と上記駅務機器処理モジュールとにそれぞれ付与されているＩＤが登録されている管理装置とを有する駅務システムにおいて、
上記携帯端末から駅務機器に対して上記携帯電話番号と上記携帯電話のＩＤと上記駅務機器処理モジュールのＩＤを送信する第１の送信手段と、
この第１の送信手段の送信により、上記駅務機器から管理装置に対して上記携帯電話番号を送信する第２の送信手段と、
この第２の送信手段の送信により、上記管理装置が、上記駅務機器により送信される携帯電話番号に対応して登録されている上記携帯電話のＩＤと上記駅務機器処理モジュールのＩＤとを読出し、上記駅務機器に返送する第３の送信手段と、
この第３の送信手段の送信により、上記駅務機器が、上記携帯端末からの上記携帯電話のＩＤと上記駅務機器処理モジュールのＩＤと上記管理装置からの上記携帯電話のＩＤと上記駅務機器処理モジュールのＩＤとが一致するか否かを判断し、一致を判断した際に、上記携帯端末の上記駅務機器処理モジュールによる駅務処理を実行し、一致を判断しなかった際に、上記携帯端末の上記駅務機器処理モジュールによる駅務処理を禁止する処理手段と、
この処理手段により上記駅務機器処理モジュールによる駅務処理が禁止された際に、上記駅務機器が、駅務処理が禁止された上記駅務機器処理モジュールのＩＤを上記管理装置を介して他の駅務機器に送信する第４の送信手段と、
を有することを特徴とする駅務システム。
【請求項５】
電話機能を有する携帯電話と、この携帯電話に取付けられ、駅務機器と無線により接続される駅務機器処理モジュールとを有し、上記携帯電話と上記駅務機器処理モジュールとにそれぞれＩＤが付与されている携帯端末と、
この携帯端末の駅務機器処理モジュールとの無線通信により上記携帯端末とによる駅務処理を実行する駅務機器と、
この駅務機器と通信回線を介して接続され、上記携帯端末における上記携帯電話と上記駅務機器処理モジュールとにそれぞれ付与されているＩＤが登録されている管理装置とを有する駅務システムにおいて、
上記携帯端末から駅務機器に対して上記携帯電話番号と上記携帯電話のＩＤと上記駅務機器処理モジュールのＩＤを送信する第１の送信手段と、
この第１の送信手段の送信により、上記駅務機器から管理装置に対して上記携帯電話番号を送信する第２の送信手段と、
この第２の送信手段の送信により、上記管理装置が、上記駅務機器により送信される携帯電話番号に対応して登録されている上記携帯電話のＩＤと上記駅務機器処理モジュールのＩＤとを読出し、上記駅務機器に返送する第３の送信手段と、
この第３の送信手段の送信により、上記駅務機器が、上記携帯端末からの上記携帯電話のＩＤと上記駅務機器処理モジュールのＩＤと上記管理装置からの上記携帯電話のＩＤと上記駅務機器処理モジュールのＩＤとが一致するか否かを判断する判断手段と、
この判断手段により、一致を判断した際に、上記携帯端末による駅務処理を実行する実行手段と、
上記判断手段により、一致を判断しなかった際に、上記携帯端末による駅務処理を禁止する禁止手段と、
を有することを特徴とする駅務システム。
【発明の詳細な説明】
【技術分野】
【０００１】
この発明は、携帯電話機能部と駅務機器と無線により接続される駅務機器処理モジュールとを有する携帯電話等の携帯端末と、この携帯端末の駅務機器処理モジュールを用いて駅務処理を実行する駅務機器と駅務システムに関する。
【背景技術】
【０００２】
近年、駅務機器としての自動改札機等にあっては、無線式のＩＣカードを用いて改札処理を実行するものが実用化されている。（特許文献１）
そこで、最近では、この無線式のＩＣカードの機能（駅務無線モジュール）を携帯電話に搭載し、この携帯電話の所持者に対する改札処理を行うものが提案されている。（特許文献１参照）
このようなものでは駅務無線モジュールは、携帯電話本体に一体に設けられ、物理的に切離しできないようになっている。
【０００３】
このため、機能故障時には、携帯電話ごと預ける必要があり、駅務無線モジュールの故障で、携帯電話が一定期間使用できなくなり、携帯電話機能の故障で、駅務無線機能が一定期間使用できなくなるという欠点があった。
【特許文献１】特開平７−２７２０３１号公報
【発明の開示】
【発明が解決しようとする課題】
【０００４】
この発明は、携帯電話機能と無線機能モジュールによる駅務無線機能とを有する携帯端末において、セキュリティを確保した状態で、かつ独立して機能を利用できる状態で、駅務無線機能モジュールを容易に無線機能モジュールとして引き続き使用できることを目的としている。
【課題を解決するための手段】
【０００５】
この発明の携帯端末は、電話機能を有する携帯電話と、この携帯電話に取付けられ、駅務機器と無線により接続される駅務機器処理モジュールとを有し、上記携帯電話と上記駅務機器処理モジュールとにそれぞれＩＤが付与されるとともに、上記携帯電話に上記駅務機器処理モジュールのＩＤが登録され、上記駅務機器処理モジュールに上記携帯電話のＩＤが登録されている携帯端末において、ＩＤによる相互認証を行う認証手段と、この認証手段により、相互認証がなされた際に、上記駅務機器処理モジュールを有効とする手段とを有する。
【０００６】
この発明の携帯端末は、電話機能を有する携帯電話と、この携帯電話に取付けられ、駅務機器と無線により接続される駅務機器処理モジュールとを有し、上記携帯電話と上記駅務機器処理モジュールとにそれぞれＩＤが付与されるとともに、上記携帯電話に上記駅務機器処理モジュールのＩＤが登録され、上記駅務機器処理モジュールに上記携帯電話のＩＤが登録されている携帯端末において、上記携帯電話に上記駅務機器処理モジュールを取付ける際に、ＩＤによる相互認証を行う認証手段と、この認証手段により、相互認証がなされなかった際に、上記駅務機器処理モジュールのメモリエリアを消去し利用不能とする手段とを有する。
【０００７】
この発明の駅務システムは、電話機能を有する携帯電話と、この携帯電話に取付けられ、駅務機器と無線により接続される駅務機器処理モジュールとを有し、上記携帯電話と上記駅務機器処理モジュールとにそれぞれＩＤが付与されている携帯端末と、この携帯端末の駅務機器処理モジュールとの無線通信により上記携帯端末とによる駅務処理を実行する駅務機器と、この駅務機器と通信回線を介して接続され、上記携帯端末における上記携帯電話と上記駅務機器処理モジュールとにそれぞれ付与されているＩＤが登録されている管理装置とを有する駅務システムにおいて、上記携帯端末から駅務機器に対して上記携帯電話番号と上記携帯電話のＩＤと上記駅務機器処理モジュールのＩＤを送信する第１の送信手段と、この第１の送信手段の送信により、上記駅務機器から管理装置に対して上記携帯電話番号を送信する第２の送信手段と、
この第２の送信手段の送信により、上記管理装置が、上記駅務機器により送信される携帯電話番号に対応して登録されている上記携帯電話のＩＤと上記駅務機器処理モジュールのＩＤとを読出し、上記駅務機器に返送する第３の送信手段と、この第３の送信手段の送信により、上記駅務機器が、上記携帯端末からの上記携帯電話のＩＤと上記駅務機器処理モジュールのＩＤと上記管理装置からの上記携帯電話のＩＤと上記駅務機器処理モジュールのＩＤとが一致するか否かを判断し、一致を判断した際に、上記携帯端末による駅務処理を実行し、一致を判断しなかった際に、上記携帯端末による駅務処理を禁止する処理手段とを有する。
【０００８】
この発明の駅務システムは、電話機能を有する携帯電話と、この携帯電話に取付けられ、駅務機器と無線により接続される駅務機器処理モジュールとを有し、上記携帯電話と上記駅務機器処理モジュールとにそれぞれＩＤが付与されている携帯端末と、この携帯端末の駅務機器処理モジュールとの無線通信により上記携帯端末とによる駅務処理を実行する駅務機器と、この駅務機器と通信回線を介して接続され、上記携帯端末における上記携帯電話と上記駅務機器処理モジュールとにそれぞれ付与されているＩＤが登録されている管理装置とを有する駅務システムにおいて、上記携帯端末から駅務機器に対して上記携帯電話番号と上記携帯電話のＩＤと上記駅務機器処理モジュールのＩＤを送信する第１の送信手段と、この第１の送信手段の送信により、上記駅務機器から管理装置に対して上記携帯電話番号を送信する第２の送信手段と、この第２の送信手段の送信により、上記管理装置が、上記駅務機器により送信される携帯電話番号に対応して登録されている上記携帯電話のＩＤと上記駅務機器処理モジュールのＩＤとを読出し、上記駅務機器に返送する第３の送信手段と、この第３の送信手段の送信により、上記駅務機器が、上記携帯端末からの上記携帯電話のＩＤと上記駅務機器処理モジュールのＩＤと上記管理装置からの上記携帯電話のＩＤと上記駅務機器処理モジュールのＩＤとが一致するか否かを判断し、一致を判断した際に、上記携帯端末の上記駅務機器処理モジュールによる駅務処理を実行し、一致を判断しなかった際に、上記携帯端末の上記駅務機器処理モジュールによる駅務処理を禁止する処理手段と、この処理手段により上記駅務機器処理モジュールによる駅務処理が禁止された際に、上記駅務機器が、駅務処理が禁止された上記駅務機器処理モジュールのＩＤを上記管理装置を介して他の駅務機器に送信する第４の送信手段とを有する。
【０００９】
この発明の駅務システムは、電話機能を有する携帯電話と、この携帯電話に取付けられ、駅務機器と無線により接続される駅務機器処理モジュールとを有し、上記携帯電話と上記駅務機器処理モジュールとにそれぞれＩＤが付与されている携帯端末と、この携帯端末の駅務機器処理モジュールとの無線通信により上記携帯端末とによる駅務処理を実行する駅務機器と、この駅務機器と通信回線を介して接続され、上記携帯端末における上記携帯電話と上記駅務機器処理モジュールとにそれぞれ付与されているＩＤが登録されている管理装置とを有する駅務システムにおいて、上記携帯端末から駅務機器に対して上記携帯電話番号と上記携帯電話のＩＤと上記駅務機器処理モジュールのＩＤを送信する第１の送信手段と、この第１の送信手段の送信により、上記駅務機器から管理装置に対して上記携帯電話番号を送信する第２の送信手段と、この第２の送信手段の送信により、上記管理装置が、上記駅務機器により送信される携帯電話番号に対応して登録されている上記携帯電話のＩＤと上記駅務機器処理モジュールのＩＤとを読出し、上記駅務機器に返送する第３の送信手段と、この第３の送信手段の送信により、上記駅務機器が、上記携帯端末からの上記携帯電話のＩＤと上記駅務機器処理モジュールのＩＤと上記管理装置からの上記携帯電話のＩＤと上記駅務機器処理モジュールのＩＤとが一致するか否かを判断する判断手段と、この判断手段により、一致を判断した際に、上記携帯端末による駅務処理を実行する実行手段と、上記判断手段により、一致を判断しなかった際に、上記携帯端末による駅務処理を禁止する禁止手段とを有する。
【発明の効果】
【００１０】
以上詳述したように、この発明によれば、携帯電話機能と駅務無線機能モジュールによる駅務無線機能とを有する携帯端末において、セキュリティを確保した状態で、かつ独立して機能を利用できる状態で、駅務無線機能モジュールを容易に取り外すことができ、駅務無線機能が故障した場合でも、携帯電話としては引き続き使用でき、携帯電話機能が故障した場合でも、駅務無線機能モジュールとして引き続き使用することができる。
【発明を実施するための最良の形態】
【００１１】
以下、この発明の実施の形態について図面を参照して説明する。  
図１は、この発明の実施の形態に係る駅務システムの概略構成を示すものである。  
すなわち、駅務システム１は、種々の駅務機器を有する複数の駅２、…からなり、上記各駅２、…はＬＡＮ３等により上位システムセンタ４の駅センターサーバ５、電子チケット販売サーバ６にオンライン接続されている。
【００１２】
上記各駅２、…は、設置されている駅全体を制御し駅センターサーバ５とオンライン接続されている駅務機器制御装置１１と、この駅務機器制御装置１１と駅構内ＬＡＮ１２を介して接続される駅務データ集計機１３、複数台の自動券売機（駅務機器）１５、…、複数台の自動精算機（駅務機器）１６、…、定期券発行機などの窓口の係員対応の端末機１７、…と、この駅務機器制御装置１１に回線を介して接続される監視盤（図示しない）を介して接続される複数台の自動改札機（駅務機器）１４、…とから構成されている。
【００１３】
また、上記システム１で用いる携帯端末としての携帯電話Ｍは、携帯電話機能部ｔと駅務機器処理機能部としての駅務無線機能モジュール（非接触式ＩＣカード）ｍを搭載したものである。
【００１４】
携帯電話機能部ｔと駅務無線機能モジュールｍは、それぞれ固有のＩＤを持ち、予め上位システムセンタ４の駅センターサーバ５のデータベース５ａに携帯番号に基づいて１対１の対で登録される。（組み合わせの一致）
駅務無線機能モジュールｍを携帯電話Ｍから着脱する（組み込む）対応は駅窓口等での係員対応とするが、利用者本人のパスワード入力等でセキュリティが確認できた場合のみ可能とする。この際、データベース５ａの登録内容を同時に更新する。取り外された駅務無線機能モジュールｍは、ネガ登録し、再登録されない限り使用できなくする。
【００１５】
正規の手順を踏まず（不正）に携帯電話Ｍに組み込まれた駅務無線機能モジュールｍは、組み込まれた時点で行う相互認証が正常終了しないものとなっている。この場合、駅務無線機能モジュールｍのメモリ２４のデータを消去する等して、機能が働かないようにする。
【００１６】
上記セキュリティチェックを万が一逃れて駅務無線機能モジュールｍが組み込まれた携帯電話Ｍが、駅務機器（改札機、発券機、精算機、窓口処理機等）で受付されたとしても、上記データベース５ａにおける１対の固定ＩＤでの登録の組み合わせ以外の駅務無線機能モジュールｍと判定されれば、その時点でもこれを使用できなくし、再度、駅務無線機能モジュールｍのメモリ３４のデータを消去する等して、機能を使用できない様にする。
【００１７】
また、盗難時の対応は、本人の申し出による。これにより、駅センターサーバ５のデータベース５ａから登録を抹消し、ネガとする。
【００１８】
また、駅務無線機能モジュールｍの内容変更（金額チャージ、定期更新等）は、携帯電話Ｍからインターネット網１８へのアクセスによって可能とする。駅務機器での更新も可。この際にもパスワード入力等によるセキュリティチェックを行い、正常に処理を行うか、ネガ登録されて使用できなくなるかを判定する。
【００１９】
すなわち、携帯電話機能部ｔは、基地局１０との間で無線による通信を行うことにより通話処理などを行うものである。駅務無線機能モジュールｍは、上記駅務機器１４、…、１５、…、１６、…、１７、…との間で無線による通信を行うことにより、駅務処理を実行するものである。
【００２０】
たとえば、駅務無線機能モジュールｍは、自動改札機１４を入場あるいは出場するための電子乗車券あるいは電子定期券として機能するものである。
【００２１】
駅務無線機能モジュールｍは、図２に示すように、各駅務機器内の非接触式ＩＣカードのリーダライタとの間でデータを送受信するための送受信アンテナ部２１、送信データを変調したり、受信データを復調したりする変復調部２２、各種データ処理や全体的な制御を行うＣＰＵ２３、各種データを記憶するＥＥＰＲＯＭ等の不揮発性メモリ２４、受信した電力波を整流回路にて整流、平滑することにより安定化された直流電圧を生成して各部に動作電圧として供給する電源生成部２５から構成されている。不揮発性メモリ２４には、あらかじめ固有のＩＤとしての駅務無線機能モジュールＩＤが登録されているとともに、正当な処理手順により装填した携帯電話機能部ｔの固有のＩＤとしての携帯電話ＩＤが記憶されるようになっている。
【００２２】
携帯電話機能部ｔは、図３に示すように、携帯電話Ｍの基地局１０との間でデータを送受信するためのアンテナ３１、送受信データの変復調、表示機能、ダイヤルボタン、センサ等の制御を行う制御部３２、各種データ処理や全体的な制御を行うＣＰＵ３３、各種データを記憶するＥＥＰＲＯＭ等の不揮発性メモリ３４、各部に動作電圧を供給するバッテリ３５から構成されている。
【００２３】
不揮発性メモリ３４には、あらかじめ固有のＩＤとしての携帯電話ＩＤが登録されているとともに、正当な処理手順により設定される装填される駅務無線機能モジュールｍの固有のＩＤとしての駅務無線機能モジュールＩＤが記憶されるようになっている。
【００２４】
また、携帯電話Ｍは、インターネット網１８経由で乗車券（特急券等）の予約、および乗車券、定期券、プリペイドカードの購入が可能であり、この購入内容が携帯電話Ｍに登録され、利用できるようになっている。
【００２５】
自動改札機１４は、ユーザの駅構内への入場の判定、あるいはユーザの駅構内からの出場の判定、およびユーザ所有の携帯電話Ｍへの情報配信、ユーザの通過情報を上位システムに通知する。ユーザの携帯電話Ｍとのデータ通信を実現するための通信機能を持ち合わせている。
【００２６】
駅務機器制御装置１１は、駅全体の駅務機器（自動改札機１４、…、自動券売機１５、…、自動精算機１６、…、端末１７、…など）を統括管理するための装置である。  
駅務データ集計機１３は、各駅単位のデータ（駅利用状況など）を集計するための装置であり、集計したデータは、駅センターサーバ５に送信される。  
駅センターサーバ５は、すべての駅の統括管理、乗車券予約管理、駅利用ユーザのデータ管理を行うための装置である。  
電子チケット販売サーバ６は、携帯電話Ｍを所有しているユーザに対し、乗車券予約、電子乗車券／定期券販売などのサービスを提供するための装置である。
【００２７】
この駅務システム１では、ユーザ所有の携帯電話Ｍとの情報交換をインターネット網１８を介して行われる。  
ゲートウェイ８は、インターネット網１８と携帯電話網９を結ぶための装置である。
【００２８】
携帯電話網９は、携帯電話システムにおけるネットワークである。  
基地局１０は、携帯電話Ｍにおける通信用の無線基地局である。  
次に、上記のような構成において、まず、正規の手順を踏まず（不正）に携帯電話Ｍに駅務無線機能モジュールｍを取付けた際の認証処理について、図４に示すフローチャートを参照しつつ説明する。
【００２９】
すなわち、携帯電話Ｍに駅務無線機能モジュールｍを取付けることにより、携帯電話機能部ｔからの電源電圧が供給されるとともに、携帯電話機能部ｔのＣＰＵ３３と駅務無線機能モジュールｍのＣＰＵ２３とが接続される（ＳＴ１）。これにより、携帯電話機能部ｔのＣＰＵ３３と駅務無線機能モジュールｍのＣＰＵ２３とによるＩＤの相互認証を行う（ＳＴ２）。
【００３０】
すなわち、携帯電話機能部ｔのＣＰＵ３３は、上記電源供給がなされた際に、メモリ３４に記憶されている接続可能な駅務無線機能モジュールｍに対する駅務無線機能モジュールＩＤを駅務無線機能モジュールｍのＣＰＵ２３へ出力し（ＳＴ１１）、駅務無線機能モジュールｍのＣＰＵ２３はメモリ２４に記憶されている接続可能な携帯電話機能部ｔに対する携帯電話ＩＤを携帯電話機能部ｔのＣＰＵ３３へ出力する（ＳＴ１２）。
【００３１】
これにより、携帯電話機能部ｔのＣＰＵ３３はメモリ３４に記憶されている自身の携帯電話ＩＤと駅務無線機能モジュールｍからの携帯電話ＩＤとが一致するか否かを判断する（ＳＴ１３）。
【００３２】
また、駅務無線機能モジュールｍのＣＰＵ２３はメモリ２４に記憶されている自身の駅務無線機能モジュールＩＤと携帯電話Ｍからの駅務無線機能モジュールＩＤとが一致するか否かを判断する（ＳＴ１４）。
【００３３】
上記携帯電話ＭのＣＰＵ３３により携帯電話ＩＤの一致が判断され、駅務無線機能モジュールｍのＣＰＵ２３により駅務無線機能モジュールＩＤの一致が判断された際に、携帯電話Ｍから駅務無線機能モジュールｍへの電源電圧の供給が遮断され（ＳＴ１５）、駅務無線機能モジュールｍは駅務処理待機状態となる（ＳＴ１６）。
【００３４】
また、上記携帯電話機能部ｔのＣＰＵ３３により携帯電話ＩＤの不一致が判断されるか、あるいは駅務無線機能モジュールｍのＣＰＵ２３により駅務無線機能モジュールＩＤの不一致が判断された際に、駅務無線機能モジュールｍのＣＰＵ２３はメモリ２４のデータを全てクリアし、駅務無線機能モジュールｍの機能が働かないようにする（ＳＴ１７）。
【００３５】
次に、上記不正利用の防止方法が何らかの方法で解除されて不正利用が試みられた場合の処理として、駅務無線機能モジュールｍを携帯電話Ｍに取付けた状態で、駅務機器としての自動改札機１４に用いる際の改札処理について、図５に示すフローチャートを参照しつつ説明する。
【００３６】
すなわち、利用者により携帯電話Ｍの駅務無線機能モジュールｍを自動改札機１４の通信エリア内に提示する（ＳＴ２１）。
【００３７】
これにより、駅務無線機能モジュールｍはメモリ２４に登録されている携帯の電話番号に対応する携帯電話ＩＤと駅務無線機能モジュールＩＤとを自動改札機１４に送信する（ＳＴ２２）。自動改札機１４は、送信された携帯の電話番号に対応するＩＤの送信要求を、駅務機器制御装置１１、通信回線３を介して駅センターサーバ５に送信する（ＳＴ２３）。
【００３８】
駅センターサーバ５は送信された携帯の電話番号によりデータベース５ａから携帯電話ＩＤと駅務無線機能モジュールＩＤとを読取り（ＳＴ２４）、通信回線３と駅務機器制御装置１１を介して送信要求のあった自動改札機１４に返送される（ＳＴ２５）。
【００３９】
これにより、自動改札機１４は駅センターサーバ５から返送された携帯電話ＩＤと駅務無線機能モジュールＩＤと、携帯電話Ｍの駅務無線機能モジュールｍからの携帯電話ＩＤと駅務無線機能モジュールＩＤとが一致するか否かにより、携帯電話Ｍに正しい駅務無線機能モジュールｍが装填されているか否かを判断する（ＳＴ２６）。
【００４０】
この結果、自動改札機１４は、上記携帯電話Ｍに正しい駅務無線機能モジュールｍが装填されていると判断した際に、上記携帯電話Ｍの駅務無線機能モジュールｍとの無線通信により改札処理を実行する（ＳＴ２７）。
【００４１】
また、自動改札機１４は、上記携帯電話Ｍに正しい駅務無線機能モジュールｍが装填されていないと判断した際に、上記駅務無線機能モジュールｍを不正媒体と判断し、メモリ（図示しない）に不正媒体として登録する（ネガ情報として自動登録する）（ＳＴ２８）。この際、自動改札機１４は、改札処理を禁止し、異常を報知する（ＳＴ２９）。
【００４２】
また、自動改札機１４は、上記不正媒体と判断した駅務無線機能モジュールｍの駅務無線機能モジュールＩＤを不正媒体を示す情報とともに、駅務機器制御装置１１、通信回線３を介して駅センターサーバ５に送信する（ＳＴ３０）。
【００４３】
これにより、駅センターサーバ５は送信された不正媒体を示す情報とその駅務無線機能モジュールＩＤを各駅の各駅務機器へダウンロードし、全ての駅務機器で不正利用されることを防止する。
【００４４】
上記したように、携帯電話に駅務無線機能モジュールを組み込む場合、駅務無線機能モジュールは物理的、機能的に携帯電話機能部との独立性を確保することで、故障時の交換修理を容易にし、利用者の利便性を向上させることができる。
【００４５】
また、駅務無線機能モジュールを紛失した場合でも、携帯電話（携帯電話機能部）側、駅務無線モジュール側それぞれが組み込み時に相互認証する機能を盛り込んでおくことで、１対１の当該携帯電話でしか使用できないようにし、セキュリティを確保することができる。また、取り外す場合も、利用者本人のパスワード入力等を行い、正規の手順を踏まずに取り外された場合は、駅務無線機能モジュールのセキュリティ用のメモリエリアを強制消去する等して、別の携帯電話への組み込みで不正利用されることを防止することができる。
【００４６】
また、駅務機器（自動改札機、自動発券機、自動精算機、窓口処理機等）側において、上記不正利用の防止方法が何らかの方法で解除されて不正利用が試みられた場合は、携帯電話の固有ＩＤと組み込まれた駅務無線機能モジュールの固有ＩＤを受け付け時に同時に受信し、組み合わせが不一致の場合には、これを不正媒体としてネガ情報に自動登録すると同時に、駅センターサーバに上位伝送し、各駅務機器へ情報をダウンロードし、全ての駅務機器で不正利用されることを防止することができる。
【００４７】
以上により、利用者の利便性を損なうことなく、不正利用に対する対策の取られた携帯電話による駅務無線システムを構築できる。
【図面の簡単な説明】
【００４８】
【図１】この発明の実施形態を説明するための駅務システムの概略構成を示すブロック図。
【図２】駅務無線機能モジュールの内部構成を説明するためのブロック図。
【図３】携帯電話機能部の内部構成を説明するためのブロック図。
【図４】携帯電話機能部と駅務無線機能モジュールとの認証処理を説明するためのフローチャート。
【図５】改札処理を説明するためのフローチャート。
【符号の説明】
【００４９】
５…駅センターサーバ  ５ａ…データベース  １１…駅務機器制御装置  １４…自動改札機  １５…自動券売機  １６…自動精算機  １７…端末機  ２１…送受信アンテナ部  ２２…変復調部  ２３…ＣＰＵ  ２４…不揮発性メモリ  ２５…電源生成部  ３１…アンテナ  ３２…制御部  ３３…ＣＰＵ  ３４…不揮発性メモリ  ３５…バッテリ  Ｍ…携帯電話  ｍ…駅務無線機能モジュール  ｔ…携帯電話機能部。
【図１】
2005284738.tif 000003
【図２】
2005284738.tif 000004
【図３】
2005284738.tif 000005
【図４】
2005284738.tif 000006
【図５】
2005284738.tif 000007